(57)【要約】【課題】消費電力量を削減するモードへの移行時に揮発性メモリ内のデータが失われることを抑制する。【解決手段】操作ユニット３側のＣＰＵ２２は、ＵＳＢ信号線Ｌ１，Ｌ３を介してＳＴＲモードへの移行を指示されるのに応じて、ＤＤＲメモリ２１のセルフリフレッシュ機能を作動させた後、ＵＳＢ信号線Ｌ１，Ｌ３を介したコントローラ２との情報通信を不能にする。コントローラ２側のＣＰＵ１１は、ＵＳＢ信号線Ｌ１，Ｌ３を介した操作ユニット３との情報通信が不能になったタイミングで制御線Ｌ６を介して省エネ制御回路２５を制御することにより、ＤＤＲメモリ２１を除く操作ユニット３内の各部への電力供給を停止する。【選択図】図１
2011005812.tif 000002
【特許請求の範囲】
【請求項１】
装置全体の動作を制御するコントローラと、
信号線と電源線を介して前記コントローラに接続されたＵＳＢデバイス機器を備え、
前記ＵＳＢデバイス機器は、
内部の電荷状態を保持するセルフリフレッシュ機能を有する揮発性メモリと、
機器全体の動作を制御する制御部と、
制御線を介して前記コントローラに接続された、前記制御部及び前記記憶部への電力供給を制御する電力制御回路を含み、
前記制御部は、前記信号線を介して消費電力量を削減するモードへの移行を前記コントローラから指示されるのに応じて、前記揮発性メモリのセルフリフレッシュ機能を作動させた後、前記コントローラとの情報通信を不能にし、
前記コントローラは、前記信号線を介した前記ＵＳＢデバイス機器との情報通信が不能になったタイミングで前記制御線を介して前記電力制御回路を制御することにより、前記制御部への電力供給を停止する
ことを特徴とする画像形成装置。
【請求項２】
前記電源線を伝達する信号のレベルを検出する検出部を備え、
前記制御部は、前記電源線を伝達する信号のレベルを所定状態に制御することにより前記信号線を介した前記コントローラとの情報通信を不能にし、
前記コントローラは、前記検出部を介して前記電源線を伝達する信号のレベルが所定状態であるか否かを判別することにより、前記信号線を介した前記ＵＳＢデバイス機器との情報通信が不能になったか否かを判別する
ことを特徴とする請求項１に記載の画像形成装置。
【請求項３】
第１及び第２の入力端子がそれぞれ前記電源線及び前記制御部に接続され、出力端子が前記検出部に接続されたアンド回路を備え、
前記制御部は、前記アンド回路に制御信号を出力することにより前記電源線を伝達する信号のレベルを前記所定状態に制御する
ことを特徴とする請求項１に記載の画像形成装置。
【請求項４】
前記ＵＳＢデバイス機器は、記憶装置を含み、
前記制御部は、前記信号線を介して前記コントローラから消費電力量を削減するモードへの移行を指示されるのに応じて、前記記憶装置がアクセスされているか否かを判別し、前記記憶装置がアクセスされていない場合、前記揮発性メモリのセルフリフレッシュ機能を作動させた後、前記信号線を介した前記コントローラとの情報通信を不能にする
ことを特徴とする請求項１乃至請求項３のうち、いずれか１項に記載の画像形成装置。
【請求項５】
前記記憶装置は、ハードディスクドライブ装置、ＳＳＤ装置、ＳＤメモリーカード、ＵＳＢメモリ、マルチメディアカード、メモリースティック、ｘＤピクチャーカード、コンパクトフラッシュ、及びスマートメディアのうちの少なくとも一つを含む
ことを特徴とする請求項４に記載の画像形成装置。
【請求項６】
前記ＵＳＢデバイス機器は、ユーザの操作入力を受け付ける操作ユニットとファクシミリ機能を実現するファックスユニットの少なくとも一方である
ことを特徴とする請求項１乃至請求項５のうち、いずれか１項に記載の画像形成装置。
【請求項７】
装置全体の動作を制御するコントローラと、信号線と電源線を介して前記コントローラに接続されたＵＳＢデバイス機器を備え、前記ＵＳＢデバイス機器は、内部の電荷状態を保持するセルフリフレッシュ機能を有する揮発性メモリと、機器全体の動作を制御する制御部と、制御線を介して前記コントローラに接続された、前記制御部及び前記記憶部への電力供給を制御する電力制御回路を含む画像形成装置の制御方法であって、
前記信号線を介して前記コントローラから消費電力量を削減するモードへの移行を指示されるのに応じて、前記制御部が、前記揮発性メモリのセルフリフレッシュ機能を作動させた後、前記信号線を介した前記コントローラとの情報通信を不能にする工程と、
前記信号線を介した前記ＵＳＢデバイス機器との情報通信が不能になったタイミングで、前記コントローラが、前記制御線を介して前記電力制御回路を制御することにより、前記制御部への電力供給を停止する工程と
を有することを特徴とする画像形成装置の制御方法。
【発明の詳細な説明】
【技術分野】
【０００１】
本発明は、消費電力量を削減するモードを動作モードの一つとして備える画像形成装置及びその制御方法に関する。
【背景技術】
【０００２】
従来より、装置全体の動作を制御するコントローラと、ＵＳＢ（Universal Serial Bus）配線を介してコントローラに接続された操作ユニットとを有する画像形成装置が知られている。このような画像形成装置の中には、消費電力量を削減するためのＳＴＲ（Suspend To Ram）モードへの移行をコントローラから指示されるのに応じて、操作ユニットが、ＳＴＲモードに移行する前の動作状態に関するデータを保持するために、内部の揮発性メモリをセルフリフレッシュモードに設定するものがある。セルフリフレッシュモードとは、システムクロック信号に従う動作を非活性状態に切り換え、揮発性メモリ内部のリフレッシュカウンタを用いてリーク電流等の原因によって消失した電荷を補充することにより、揮発性メモリ内部の電荷状態を保持する動作モードのことである。
【発明の概要】
【発明が解決しようとする課題】
【０００３】
しかしながら、従来の画像形成装置によれば、コントローラが、揮発性メモリがセルフリフレッシュモードに設定される前に、操作ユニットの動作モードをＳＴＲモードに切り替えてしまうことにより、揮発性メモリ内のデータが失われる可能性がある。揮発性メモリ内のデータが失われた場合には、ＳＴＲモードに移行する前の動作状態に関するデータが消失することから、ＳＴＲモードから通常の動作モードに復帰した際、操作ユニットの動作状態を移行前の動作状態に戻すことができなくなり、復帰時の利便性が低下する。
【０００４】
本発明は、上記に鑑みてなされたものであって、その目的は、消費電力量を削減するモードへの移行時に揮発性メモリ内のデータが失われることを抑制可能な画像形成装置及びその制御方法を提供することにある。
【課題を解決するための手段】
【０００５】
上述した課題を解決し、目的を達成するために、本発明は、ＵＳＢデバイス機器が、信号線を介して消費電力量を削減するモードへの移行をコントローラから指示されるのに応じて、内部の電荷状態を保持する揮発性メモリのセルフリフレッシュ機能を作動させた後、信号線を介したコントローラとの情報通信を不能にし、コントローラが、信号線を介したＵＳＢデバイス機器との情報通信が不能になったタイミングで制御線を介して電力制御回路を制御することにより、ＵＳＢデバイス機器への電力供給を停止することを特徴とする。
【発明の効果】
【０００６】
本発明によれば、揮発性メモリのセルフリフレッシュ機能が作動し、信号線を介したＵＳＢデバイス機器との情報通信が不能になったタイミングで、ＵＳＢデバイス機器への電力供給が停止されるので、消費電力量を削減するモードに移行する前に揮発性メモリのセルフリフレッシュ機能が確実に作動し、モード移行時に揮発性メモリ内のデータが失われることを抑制できる。
【図面の簡単な説明】
【０００７】
【図１】図１は、本発明の第１の実施形態となる画像形成装置の構成を示すブロック図である。
【図２】図２は、ＳＴＲモード移行処理の流れを示すフローチャート図である。
【図３】図３は、本発明の第２の実施形態となる画像形成装置の構成を示すブロック図である。
【図４】図４は、ＳＴＲモード移行処理の流れを示すフローチャート図である。
【図５】図５は、本発明の第３の実施形態となる画像形成装置の構成を示すブロック図である。
【図６】図６は、ＳＴＲモード移行処理の流れを示すフローチャート図である。
【発明を実施するための形態】
【０００８】
以下、図面を参照して、本発明の第１乃至第３の実施形態となる画像形成装置の構成及びその動作について説明する。
【０００９】
〔第１の実施形態〕
始めに、図１，２を参照して、本発明の第１の実施形態となる画像形成装置の構成及びその動作について説明する。
【００１０】
〔構成〕
図１は、本発明の第１の実施形態となる画像形成装置の構成を示すブロック図である。
本発明の第１の実施形態となる画像形成装置１は、図１に示すように、コントローラ２と操作ユニット３を主な構成要素として備える。コントローラ２は、マイクロプロセッサにより構成されている。コントローラ２は、内部のＣＰＵ（Central Processing Unit）１１が制御プログラムを実行することにより、画像形成装置１全体の動作を制御する。
【００１１】
ＣＰＵ１１は、ＵＳＢホストインタフェイス１２を備える。ＵＳＢホストインタフェイス（ＵＳＢホストＩ／Ｆ）１２は、ＵＳＢ信号線Ｌ１を介した操作ユニット３との間の情報通信を制御する。ＵＳＢホストインタフェイス１２は、操作ユニット３を駆動するためにＶＢＵＳ配線（電源ライン）Ｌ２を介して操作ユニット３にＶＢＵＳ信号を出力する。ＵＳＢ信号線Ｌ１は、Data+とData-の２本の信号線を有し、この２本の信号線を利用して差動転送を行う。
【００１２】
操作ユニット３は、ＤＤＲ（Double Data Rate）メモリ２１と、ＣＰＵ２２と、ＡＮＤ（アンド）回路２３と、ＵＳＢハブ２４と、省エネ制御回路２５を備える。操作ユニット３は、本発明に係るＵＳＢデバイス機器として機能する。操作ユニット３は、ユーザからの操作入力を受け付けると共に、各種情報を表示及び音声出力する。ＤＤＲメモリ２１は、動作中にＣＰＵ２２が利用するデータやコンピュータプログラムを一時的に記憶するための揮発性メモリである。ＤＤＲメモリ２１はセルフリフレッシュ機能を有する。セルフリフレッシュ機能とは、ＣＰＵ２２からのクロック信号（システムクロック信号）に従った動作を非活性状態に切り換え、内部のリフレッシュカウンタを用いてリーク電流等の原因によって消失した電荷を補充することにより、内部の電荷状態を保持する機能である。
【００１３】
ＣＰＵ２２は、本発明に係る制御部として機能する。ＣＰＵ２２は、ユーザからの操作入力信号やコントローラ２から出力された制御信号に従って操作ユニット３の動作を制御する。ＣＰＵ２２は、制御線Ｌ５を介してＶＢＵＳ信号のレベル（ハイレベル又はローレベル）を制御するＶＢＵＳ制御信号をＡＮＤ回路２３に出力する。本実施形態では、ＶＢＵＳ信号がハイレベルである場合、コントローラ２と操作ユニット３間の情報通信が有効となる。一方、ＶＢＵＳ信号がローレベルである場合、コントローラ２と操作ユニット３間の情報通信は無効となる。ＣＰＵ２２は、ＤＤＲメモリインタフェイス（ＤＤＲメモリＩ／Ｆ）２６とＵＳＢデバイスインタフェイス（ＵＳＢデバイスＩ／Ｆ）２７を有する。
【００１４】
ＤＤＲメモリインタフェイス２６は、ＣＰＵ２２の制御に従って制御線Ｌ４を介してセルフリフレッシュ機能を作動させるセルフリフレッシュ信号（クロックイネーブル信号）をＤＤＲメモリ２１に出力する。ＵＳＢデバイスインタフェイス２７は、ＵＳＢ信号線Ｌ３を介したＵＳＢハブ２４との間の情報通信を制御する。ＵＳＢ信号線Ｌ３は、Data+とData-の２本の信号線を有し、この２本の信号線を利用して差動転送を行う。
【００１５】
ＡＮＤ回路２３の２つの入力端子はＶＢＵＳ配線Ｌ２と制御線Ｌ５に接続されている。ＡＮＤ回路２３の出力端子はＵＳＢハブ２４が備えるＶＢＵＳモニタ２８に接続されている。ＡＮＤ回路２３は、制御線Ｌ５を介してＣＰＵ２２から出力されたＶＢＵＳ制御信号のレベルがハイレベルである場合、ＶＢＵＳ配線Ｌ２を介してコントローラ２から出力されたＶＢＵＳ信号をそのままＶＢＵＳモニタ信号としてＶＢＵＳモニタ２８に出力する。一方、ＶＢＵＳ制御信号がローレベルである場合には、ＡＮＤ回路２３は、ＶＢＵＳ信号をローレベルに演算処理してＶＢＵＳモニタ信号としてＶＢＵＳモニタ２８に出力する。
【００１６】
ＵＳＢハブ２４は、ＵＳＢ信号線Ｌ１とＵＳＢ信号線Ｌ３を介したＣＰＵ２２とコントローラ２との間の情報通信を中継する。ＵＳＢハブ２１は、ＶＢＵＳモニタ２８を有する。ＶＢＵＳモニタ２８は、本発明に係る検出部として機能する。ＶＢＵＳモニタ２８は、ＡＮＤ回路２３から出力されたＶＢＵＳモニタ信号のレベル（ハイレベル又はローレベル）を検出し、コントローラ２からの要求に応じて検出結果をコントローラ２に出力する。省エネ制御回路２５は、本発明に係る電力制御回路として機能する。省エネ制御回路２５は、制御線Ｌ６を介したコントローラ２からの省エネ制御信号に従って、操作ユニット３内の各部への電力供給を制御する。
【００１７】
〔ＳＴＲモード移行処理〕
このような構成を有する画像形成装置１は、以下に示すＳＴＲモード移行処理を実行することにより、消費電力量を削減するためのＳＴＲモード移行時にＤＤＲメモリ２１内に記憶されている情報が失われることを抑制する。以下、図２に示すフローチャートを参照して、このＳＴＲモード移行処理を実行する際の画像形成装置１の動作を説明する。なおＳＴＲモードとは、ＤＤＲメモリ２１をセルフリフレッシュモードに設定した後にＤＤＲメモリ２１以外の各部への電力供給を停止することにより、消費電力量を削減する画像形成装置１の動作モードの一つである。
【００１８】
図２に示すフローチャートは、ＵＳＢ信号線Ｌ１，Ｌ３を介してコントローラ２側のＣＰＵ１１から操作ユニット３側のＣＰＵ２２に対しＳＴＲモードへの移行指示信号が入力されたタイミングで開始となり、ＳＴＲモード移行処理はステップＳ１の処理に進む。
【００１９】
ステップＳ１の処理では、操作ユニット３側のＣＰＵ２２が、ＤＤＲメモリインタフェイス２６を介してＤＤＲメモリ２１にセルフリフレッシュ信号を出力する。ＤＤＲメモリ２１は、セルフリフレッシュ信号が入力されるのに応じて、内部のデータを保持するためにセルフリフレッシュ機能を始動させる。これにより、ステップＳ１の処理は完了し、ＳＴＲモード移行処理はステップＳ２の処理に進む。
【００２０】
ステップＳ２の処理では、操作ユニット３側のＣＰＵ２２が、ＡＮＤ回路２３に出力するＶＢＵＳ制御信号のレベルをハイレベルからローレベルに切り換える。ＶＢＵＳ制御信号のレベルをローレベルに切り換えることにより、ＶＢＵＳモニタ２８にはローレベルのＶＢＵＳ信号がＶＢＵＳモニタ信号として入力される。これにより、ステップＳ２の処理は完了し、ＳＴＲモード移行処理はステップＳ３の処理に進む。
【００２１】
ステップＳ３の処理では、コントローラ２側のＣＰＵ１１が、ＶＢＵＳモニタ２８を介してＶＢＵＳモニタ信号のレベルを検出し、ステップＳ２の処理によってＶＢＵＳモニタ信号がローレベルになっていることを検知することにより操作ユニット３との情報通信ができなくなったと判定する。これにより、ステップＳ３の処理は完了し、ＳＴＲモード移行処理はステップＳ４の処理に進む。
【００２２】
ステップＳ４の処理では、コントローラ側のＣＰＵ１１が、省エネ制御回路２５に省エネ制御信号を出力する。省エネ制御回路２５は、省エネ制御信号が入力されるのに応じて、ＤＤＲメモリ２１を除く操作ユニット３内の各部への電力供給を停止する。この動作により、操作ユニット３の動作モードはＳＴＲモードとなる。これにより、ステップＳ４の処理は完了し、一連のＳＴＲモード移行処理は完了する。
【００２３】
以上の説明から明らかなように、本発明の第１の実施形態となる画像形成装置１によれば、操作ユニット３側のＣＰＵ２２は、ＵＳＢ信号線Ｌ１，Ｌ３を介してＳＴＲモードへの移行を指示されるのに応じて、ＤＤＲメモリ２１のセルフリフレッシュ機能を作動させた後、ＵＳＢ信号線Ｌ１，Ｌ３を介したコントローラ２との情報通信を不能にする。そしてコントローラ２側のＣＰＵ１１は、ＵＳＢ信号線Ｌ１，Ｌ３を介した操作ユニット３との情報通信が不能になったタイミングで制御線Ｌ６を介して省エネ制御回路２５を制御することにより、ＤＤＲメモリ２１を除く操作ユニット３内の各部への電力供給を停止する。
【００２４】
すなわち、本発明の第１の実施形態となる画像形成装置１によれば、ＤＤＲメモリ２１のセルフリフレッシュ機能が作動し、ＵＳＢ信号線Ｌ１，Ｌ３を介した操作ユニット３との情報通信が不能になったタイミングで、ＤＤＲメモリ２１を除く操作ユニット３内の各部への電力供給が停止される。そしてこのような構成によれば、ＳＴＲモード移行前にＤＤＲメモリ２１のセルフリフレッシュ機能が確実に作動するので、ＳＴＲモード移行時にＤＤＲメモリ２１内のデータが失われることを抑制できる。またコントローラ２と操作ユニット３間に余計な信号線やバッファメモリを追加することなくＤＤＲメモリ２１内に記憶されている情報を保持できるので、画像形成装置１の小型化及び低コスト化を実現することができる。
【００２５】
〔第２の実施形態〕
次に、図３，４を参照して、本発明の第２の実施形態となる画像形成装置の構成及びその動作について説明する。
【００２６】
〔構成〕
図３は、本発明の第２の実施形態となる画像形成装置の構成を示すブロック図である。
【００２７】
本発明の第２の実施形態となる画像形成装置３０は、図３に示すように、第１の実施形態となる画像形成装置１の構成に加えて、操作ユニット３内に記憶装置３１が設けられた構成となっている。そこで以下では記憶装置３１とその関係部位の構成についてのみ説明し、その他の構成要素についての説明は第１の実施形態と同一の符号を付与することによりその説明を省略する。
【００２８】
記憶装置３１は、ハードディスクドライブ装置，ＳＳＤ（Solid State Drive）装置，ＳＤメモリーカード，ＵＳＢメモリ，ＭＭＣ（MultiMediaCard），メモリースティック，ｘＤピクチャーカード，コンパクトフラッシュ（登録商標），スマートメディア等の公知の情報記憶装置である。記憶装置３１は、ユーザが蓄積したデータや印刷したデータ等の各種情報を記憶する。記憶装置３１は、記憶装置インタフェイス（Ｉ／Ｆ）３２を備える。記憶装置インタフェイス３２は、制御線Ｌ７を介したＣＰＵ２２との間の情報通信を制御する。ＣＰＵ２２は、記憶装置インタフェイス（Ｉ／Ｆ）３３を備える。記憶装置インタフェイス３３は、制御線Ｌ７を介した記憶装置３１との間の情報通信を制御する。
【００２９】
本実施形態では、ＣＰＵ２２が記憶装置インタフェイス３３を備えることとしたが、記憶装置３１がＵＳＢメモリである場合には、ＵＳＢメモリをＵＳＢハブ２４に接続することによりＵＳＢデバイスインタフェイス２７を介して情報通信を行うことができるので、記憶装置インタフェイス３３を不要にすることができる。
【００３０】
〔ＳＴＲモード移行処理〕
このような構成を有する画像形成装置３０は、以下に示すＳＴＲモード移行処理を実行することにより、消費電力量を削減するためのＳＴＲモード移行時にＤＤＲメモリ２１内に記憶されている情報が失われることを抑制する。以下、図４に示すフローチャートを参照して、このＳＴＲモード移行処理を実行する際の画像形成装置３０の動作を説明する。
【００３１】
図４に示すフローチャートは、コントローラ２側のＣＰＵ１１から操作ユニット３側のＣＰＵ２２に対しＳＴＲモードへの移行指示信号が入力されたタイミングで開始となり、ＳＴＲモード移行処理はステップＳ１１の処理に進む。
【００３２】
ステップＳ１１の処理では、操作ユニット３側のＣＰＵ２２が、記憶装置インタフェイス３３を介して記憶装置３１のアクセス状態を検出する。これにより、ステップＳ１１の処理は完了し、ＳＴＲモード移行処理はステップＳ１２の処理に進む。
【００３３】
ステップＳ１２の処理では、操作ユニット３側のＣＰＵ２２が、ステップＳ１１の処理結果に基づいて記憶装置３１がデータの読み出しや書き込み処理によりアクセスされているか否かを判別する。そしてＣＰＵ２２は、記憶装置３１がアクセスされていないと確認されたタイミングでＳＴＲモード移行処理をステップＳ１３の処理に進める。なおステップＳ１３以後の処理は第１の実施形態におけるステップＳ１以後の処理と同じであるので、以下ではその説明を省略する。
【００３４】
以上の説明から明らかなように、本発明の第２の実施形態となる画像形成装置３０によれば、操作ユニット３側のＣＰＵ２２は、ＵＳＢ信号線Ｌ１，Ｌ３を介してコントローラ２からＳＴＲモードへの移行を指示されるのに応じて、記憶装置３１がアクセスされているか否かを判別し、記憶装置３１がアクセスされていない場合、ＤＤＲメモリ２１のセルフリフレッシュ機能を作動させた後、ＵＳＢ信号線Ｌ１，Ｌ３を介したコントローラ２との情報通信を不能にする。そしてこのような構成によれば、記憶装置３１がアクセスされていない状態においてＳＴＲモードに移行することになるので、第１の実施形態となる画像形成装置１により得られる効果に加えて、記憶装置３１がアクセス状態にある時に電源がオフされることによりセクタ不良やデータ破損等の不具合が発生することを抑制できる。
【００３５】
〔第３の実施形態〕
最後に、図５，６を参照して、本発明の第３の実施形態となる画像形成装置の構成及びその動作について説明する。
【００３６】
〔構成〕
図５は、本発明の第３の実施形態となる画像形成装置の構成を示すブロック図である。
本発明の第３の実施形態となる画像形成装置４０は、図５に示すように、第１の実施形態となる画像形成装置１の構成に加えて、ファクシミリ機能を有するＦＡＸユニット４１を備える構成となっている。そこで以下ではＦＡＸユニット４１とその関係部位の構成についてのみ説明し、その他の構成要素についての説明は第１の実施形態と同一の符号を付すことによりその説明を省略する。
【００３７】
ＦＡＸユニット４１は、本発明に係るＵＳＢデバイス機器として機能する。ＦＡＸユニット４１は、操作ユニット３と同じ内部構成を有し、内部のＣＰＵ２２が制御プログラムを実行することによりファクシミリ機能を実現する。本実施形態では、コントローラ２側のＣＰＵ１１は、操作ユニット３用のＵＳＢホストインタフェイス１２ａとＦＡＸユニット４１用のＵＳＢホストインタフェイス１２ｂを有する。ＵＳＢホストインタフェイス１２ａは、第１の実施形態におけるＵＳＢホストインタフェイス１２と同じ機能を有する。ＵＳＢホストインタフェイス１２ｂは、ＵＳＢ信号線Ｌ１を介したＦＡＸユニット４１との間の情報通信を制御する。ＵＳＢホストインタフェイス１２ｂは、ＦＡＸユニット４１を駆動するためにＶＢＵＳ配線Ｌ２を介してＶＢＵＳ信号をＦＡＸユニット４１に出力する。
【００３８】
〔ＳＴＲモード移行処理〕
このような構成を有する画像形成装置４０は、以下に示すＳＴＲモード移行処理を実行することにより、消費電力量を削減するためのＳＴＲモード移行時に操作ユニット３及びＦＡＸユニット４１内のＤＤＲメモリ２１内に記憶されている情報が失われることを抑制する。以下、図６に示すフローチャートを参照して、このＳＴＲモード移行処理を実行する際の画像形成装置４０の動作を説明する。
【００３９】
図６に示すフローチャートは、コントローラ２側のＣＰＵ１１から操作ユニット３及びＦＡＸユニット４１側のＣＰＵ２２に対しＳＴＲモードへの移行指示信号が入力されたタイミングで開始となり、ＳＴＲモード移行処理はステップＳ２１及びステップＳ２３の処理に進む。
【００４０】
ステップＳ２１の処理では、操作ユニット３側のＣＰＵ２２が、ＤＤＲメモリインタフェイス２６を介してＤＤＲメモリ２１にセルフリフレッシュ信号を出力する。ＤＤＲメモリ２１は、セルフリフレッシュ信号が入力されるのに応じて、内部のデータを保持するためにセルフリフレッシュ機能を始動させる。これにより、ステップＳ２１の処理は完了し、ＳＴＲモード移行処理はステップＳ２２の処理に進む。
【００４１】
ステップＳ２２の処理では、操作ユニット３側のＣＰＵ２２が、ＡＮＤ回路２３に出力するＶＢＵＳ制御信号のレベルをハイレベルからローレベルに切り換える。ＶＢＵＳ制御信号のレベルをローレベルに切り換えることにより、ＶＢＵＳモニタ２８にはローレベルのＶＢＵＳ信号がＶＢＵＳモニタ信号として入力される。これにより、ステップＳ２２の処理は完了し、ＳＴＲモード移行処理はステップＳ２５の処理に進む。
【００４２】
ステップＳ２３の処理では、ＦＡＸユニット４１側のＣＰＵ２２が、ＤＤＲメモリインタフェイス２６を介してＤＤＲメモリ２１にセルフリフレッシュ信号を出力する。ＤＤＲメモリ２１は、セルフリフレッシュ信号が入力されるのに応じて、内部のデータを保持するためにセルフリフレッシュ機能を始動させる。これにより、ステップＳ２３の処理は完了し、ＳＴＲモード移行処理はステップＳ２４の処理に進む。
【００４３】
ステップＳ２４の処理では、ＦＡＸユニット４１側のＣＰＵ２２が、ＡＮＤ回路２３に出力するＶＢＵＳ制御信号のレベルをハイレベルからローレベルに切り換える。ＶＢＵＳ制御信号のレベルをローレベルに切り換えることにより、ＶＢＵＳモニタ２８にはローレベルのＶＢＵＳ信号がＶＢＵＳモニタ信号として入力される。これにより、ステップＳ２４の処理は完了し、ＳＴＲモード移行処理はステップＳ２５の処理に進む。
【００４４】
ステップＳ２５の処理では、コントローラ２側のＣＰＵ１１が、操作ユニット３及びＦＡＸユニット４１側のＶＢＵＳモニタ２８を介してＶＢＵＳモニタ信号のレベルを検出し、ステップＳ２２及びステップＳ２４の処理によってＶＢＵＳモニタ信号がローレベルになっていることを検知することにより操作ユニット３及びＦＡＸユニット４１との通信ができなくなったと判定する。これにより、ステップＳ２５の処理は完了し、ＳＴＲモード移行処理はステップＳ２６の処理に進む。
【００４５】
ステップＳ２６の処理では、コントローラ側のＣＰＵ１１が、操作ユニット３及びＦＡＸユニット４１側の省エネ制御回路２５に省エネ制御信号を出力する。操作ユニット３及びＦＡＸユニット４１側の省エネ制御回路２５は、省エネ制御信号が入力されるのに応じて、ＤＤＲメモリ２１を除く各部への電力供給を停止する。この動作により、操作ユニット３及びＦＡＸユニット４１の動作モードはＳＴＲモードとなる。これにより、ステップＳ２６の処理は完了し、一連のＳＴＲモード移行処理は完了する。
【００４６】
以上の説明から明らかなように、本発明の第３の実施形態となる画像形成装置４０によれば、操作ユニット３及びＦＡＸユニット４１側のＣＰＵ２２は、ＵＳＢ信号線Ｌ１，Ｌ３を介してＳＴＲモードへの移行を指示されるのに応じて、ＤＤＲメモリ２１のセルフリフレッシュ機能を作動させた後、ＵＳＢ信号線Ｌ１，Ｌ３を介したコントローラ２との情報通信を不能にする。そしてコントローラ２側のＣＰＵ１１は、ＵＳＢ信号線Ｌ１，Ｌ３を介した操作ユニット３及びＦＡＸユニット４１との情報通信が不能になったタイミングで制御線Ｌ６を介して省エネ制御回路２５を制御することにより、ＤＤＲメモリ２１を除く操作ユニット３及びＦＡＸユニット４１内の各部への電力供給を停止する。
【００４７】
すなわち、本発明の第３の実施形態となる画像形成装置４０によれば、ＤＤＲメモリ２１のセルフリフレッシュ機能が作動し、ＵＳＢ信号線Ｌ１，Ｌ３を介した操作ユニット３との情報通信が不能になったタイミングで、ＤＤＲメモリ２１を除く操作ユニット３及びＦＡＸユニット４１内の各部への電力供給が停止される。そしてこのような構成によれば、ＳＴＲモード移行前にＤＤＲメモリ２１のセルフリフレッシュ機能が確実に作動するので、ＳＴＲモード移行時にＤＤＲメモリ２１内のデータが失われることを抑制できる。またコントローラ２と操作ユニット３及びＦＡＸユニット４１間に余計な信号線やバッファメモリを追加することなくＤＤＲメモリ２１内に記憶されている情報を保持できるので、画像形成装置４０の小型化及び低コスト化を実現することができる。
【００４８】
以上、本発明者によってなされた発明を適用した実施の形態について説明したが、この実施の形態による本発明の開示の一部をなす記述及び図面により本発明は限定されることはない。すなわち上記実施の形態に基づいて当業者等によりなされる他の実施の形態、実施例及び運用技術等は全て本発明の範疇に含まれる。
【符号の説明】
【００４９】
１，３０，４０  画像形成装置
２  コントローラ
３  操作ユニット
１１，２２  ＣＰＵ
１２，１２ａ，１２ｂ  ＵＳＢホストインタフェイス
２１  ＤＤＲメモリ
２３  ＡＮＤ回路
２４  ＵＳＢハブ
２５  省エネ制御回路
２６  ＤＤＲメモリインタフェイス
２７  ＵＳＢデバイスインタフェイス
２８  ＶＢＵＳモニタ
３１  記憶装置
３２，３３  記憶装置インタフェイス
４１  ＦＡＸユニット
Ｌ１，Ｌ３  ＵＳＢ信号線
Ｌ２  ＶＢＵＳ配線
Ｌ３，Ｌ４，Ｌ５，Ｌ６，Ｌ７  制御線
【先行技術文献】
【特許文献】
【００５０】
【特許文献１】特開２００８−２４３１４１号公報
【特許文献２】特開２００４−１２７１８８号公報
【図１】
2011005812.tif 000003
【図２】
2011005812.tif 000004
【図３】
2011005812.tif 000005
【図４】
2011005812.tif 000006
【図５】
2011005812.tif 000007
【図６】
2011005812.tif 000008